(57)【要約】      （修正有）【課題】方向転換可能なラチェットスパナを提供する【解決手段】スパナ本体１０と、スパナ本体の内部に備えられた制御部材２０と、ラチェット部材３０と、回転部材４０とからなる方向転換可能なラチェットスパナである。スパナの一端に、ラチェット部１１が形成され、作動口１２と円形孔を設け、その間に連通する円弧ラチェット槽が形成される。制御部材の円盤部２１の一端に摘部２２が、その他端にブロック２３が、その頂端にＵ形部２４がそれぞれ形成される。さらに、バネ２５が実装され、円盤部とＵ形部との間に、位置制限欠部が形成され、Ｕ形部と位置制限欠部とがラチェット槽１４に向かって、摘部が露出するように、スパナ本体の円形孔に実装される。チェット部材の一端に円弧状歯部３１が、他端に、位置制限部３２が形成され、回転部材の外縁に、歯状リング４３が形成され、ラチェット部材の円弧状歯部に噛合するように構成される。【選択図】図２
0003183496.tif 000002
【実用新案登録請求の範囲】
【請求項１】
スパナ本体と、該スパナ本体の内部に備えられた制御部材と、ラチェット部材と、回転部材とからなるラチェットスパナであって、
上記スパナ本体の一端にラチェット部が形成され、ラチェット部に作動口と円形孔が形成され、上記作動口と円形孔との間において、連通する円弧ラチェット槽が形成され、
上記制御部材の円盤部の一端において、摘部が形成され、上記円盤部の他端において、ブロックが形成され、上記ブロックの頂端に、Ｕ形部が形成され、また、Ｕ形部に、バネが実装され、上記円盤部とＵ形部との間に、位置制限欠部が形成され、上記制御部材のＵ形部と位置制限欠部とが、ラチェット槽に向かって、摘部が露出するように、スパナ本体の円形孔に実装され、
上記ラチェット部材が、その一端に円弧状歯部が形成され、他端に、位置制限部が形成され、上記位置制限部に、円柱が形成され、上記円弧状歯部が、作動口に向かって、上記位置制限部が、制御部材の位置制限欠部に収納され、円柱が制御部材のバネに当接するように、スパナ本体のラチェット槽に実装され、
上記回転部材が、スパナ本体の作動口に実装され、回転部材の外縁に、歯状リングが形成され、上記歯状リングが、ラチェット部材の円弧状歯部に噛合する
ことを特徴とするラチェットスパナ。
【請求項２】
上記制御部材において、Ｕ形部の開口に、同一方向になる定位孔が形成され、上記の定位孔に、バネの一端が収納されることにより、バネが定位されることを特徴とする請求項１に記載のラチェットスパナ。
【請求項３】
上記Ｕ形部において、バネの両側の外縁に、ともに、円弧面が形成され、上記ラチェット部材において、円柱の近くに円弧空間が形成され、円弧空間と円弧面とにより、ラチェット部材とＵ形部とが、互いに退避することを特徴とする請求項１に記載のラチェットスパナ。
【考案の詳細な説明】
【技術分野】
【０００１】
本考案は、ラチェットスパナ構造に関するものであり、さらに詳しくは、構造が簡素化され、強度が強化され、安定的に操作できる回転方向の方向転換可能なラチェットスパナに関するものである。
【背景技術】
【０００２】
従来のラチェットスパナ構造は、図９のように、スパナ５０の一端に、回転部材６０が組み立てられ、上記回転部材６０が、スパナ５０端部において回転し、ナット及びボルトを締結し又は弛緩することができるように構成されたものである。また、上記回転部材６０の外縁に、歯状リング６１が形成され、上記歯状リング６１の一側において、対応して、ラチェット部材７０が噛合し、上記ラチェット部材７０が、スパナ５０の内部に設けてある第一槽室５１において可動状態になる。そして、上記ラチェット部材７０において、回転部材６０とに噛合する端面の他端面に、円弧面７１が形成される。上記スパナ５０には、第一槽室５１に連通する第二槽室５２を設けてある。上記第二槽室５２に、制御ブロック８０が実装される。上記制御ブロック８０に、挿入孔８１が形成され、また、挿入孔８１に、バネ８２が実装される。バネ８２の頂端に、当接ヘッド８３が嵌設され、当接ヘッド８３が、バネ８２の附勢により、ラチェット部材７０の円弧面７１に当接し、制御ブロック８０で、当接ヘッド８３を制御することにより、ラチェット部材７０が、第一槽室５１の異なる側面に当接する事が選択され、そのため、一方向に駆動する回転効果が得られる。
【０００３】
上記のように、従来構造は、
１．上記ラチェット部材７０と制御ブロック８０との間に、バネ８２と当接ヘッド８３とが設置されて、上記当接ヘッド８３の一端が、バネ８２によって附勢され、当接ヘッド８３の他端が、摺動的にラチェット部材７０の円弧面７１に当接するため、ラチェット部材７０は、スパナ５０を回転させることにより、振動した場合、或いは、制御ブロック８０で切り替える場合、上記当接ヘッド８３の一端が、ラチェット部材７０の円弧面７１を摺動すると、他端が、側方向に、制御ブロック８０の挿入孔８１を摩擦することから、当接ヘッド８３とバネ８２とが、容易に挿入孔８１から、弾み出し、或いは、変形する。そのため、抵抗が形成されて、操作安定性が低下する。また、明らかに、構造の強度不足の問題がある。
【０００４】
２．上記スパナ５０の組み立てステップは、まず、制御ブロック８０を第二槽室５２に実装し、制御ブロック８０を係合して固定することにより、制御ブロック８０が、回転操作だけできることに制限される。また、第一槽室５１端部からバネ８２を挿入孔８１に設置して、バネ８２の頂端に、上記当接ヘッド８３が嵌設される。第一槽室５１の開口が、回転部材６０へ向かうため、バネ８２を実装することが、容易ではなく、そして、上記バネ８２と当接ヘッド８３の体積が比較的に小さいため、組み立てる過程において、紛失及び落下が容易に発生する。そのため、組み立て工程の難しさがより高くなり、簡単に組み立てることができず、また、部材が多すぎる問題がある。
【０００５】
３．上記ラチェット部材７０と制御ブロック８０との間に、バネ８２と当接ヘッド８３とが設置され、上記当接ヘッド８３の一端が、バネ８２により附勢され、当接ヘッド８３の他端が、摺動的にラチェット部材７０の円弧面７１に当接し、ラチェット部材７０が作動する時、上記当接ヘッド８３が、バネ８２を押さえて伸縮させ、ラチェット部材７０と制御ブロック８０との間に、ラチェット部材７０の可動空間が維持されるため、当接ヘッド８３とバネ８２とが、過度に、挿入孔８１の外へ突出して、当接ヘッド８３とバネ８２との位置付け効果が低減するという問題がある。
【０００６】
かかる背景技術の状況下において、実用新案登録第３１１４１０９号公報（以下、「特許文献１」という。）には、ラチェットレンチのレンチ本体中に溝孔とスプリングが嵌め込まれた改良構造が記載されている。しかし、特許文献１には、スパナについては記載がなく、特に回転方向転換可能な構造のスパナについては十分開示がなく、操作の安定性についても改良の余地がある。
【特許文献１】実用新案登録第３１１４１０９号公報
【考案の概要】
【考案が解決しようとする課題】
【０００７】
本考案の主な課題は、上記ラチェット部材において、位置制限部に、円柱が固定され、円柱で、バネの一端に当接し、これにより、ラチェット部材と制御部材とが、連動され、また、上記バネの両側において、完全に当接可能なように、Ｕ形部が形成され、制御部材で、切り替えを行う時、上記バネが、側方向の力による変形や弾み出すことなく、安定な操作や構造強度の強化が得られ、耐用性能が向上する方向転換可能なラチェットスパナを提供することにある。
【０００８】
本考案の他の課題は、上記制御部材が、直接に、定位孔に、バネが挿設され、バネの両側に設けてあるＵ形部によって制限され、即ち、直接に、制御部材のブロック端部を、スパナ本体の円形孔に設置でき、また、作動口端から、ラチェット部材をラチェット槽内に設置でき、ラチェット部材の位置制限部を制御部材の位置制限欠部に挿設されて、円柱で、バネの他端に当接でき、そのため、容易に、スパナ本体の組み立てステップが完了し、これにより、簡素化の構造や急速に組み立ての実用効果が実現される方向転換可能なラチェットスパナを提供することにある。
【０００９】
本考案の更に他の課題は、上記Ｕ形部において、バネの両側の外縁に、ともに、円弧面が形成され、上記ラチェット部材において、円柱の近くに、円弧空間が形成され、円弧空間で、円弧面に合わせて、ラチェット部材とＵ形部とが、干渉なく退避でき、即ち、ラチェット部材と制御部材との間の距離が短縮され、Ｕ形部が、円柱の両側に囲むように、ラチェット部材の定位効果が向上する方向転換可能なラチェットスパナを提供することにある。
【課題を解決するための手段】
【００１０】
そこで、本考案者は、上記の本考案の課題を解決するため鋭意検討を重ねた結果、後述のように、制御部材とラチェット部材を備え、制御部材の切換え制御により回転部材の回転方向を転換可能とすることにより、上記課題を解決できることに着目し、本考案に想到するに至った。
【００１１】
かくして、請求項１の考案によれば、スパナ本体と、該スパナ本体の内部に備えられた制御部材と、ラチェット部材と、回転部材とからなるラチェットスパナであって、
上記スパナ本体の一端に、ラチェット部が形成され、ラチェット部に、作動口と円形孔が形成され、上記作動口と円形孔との間において、連通する円弧ラチェット槽が形成され、
上記制御部材の円盤部の一端において、摘部が形成され、上記円盤部の他端において、ブロックが形成され、上記ブロックの頂端に、Ｕ形部が形成され、また、Ｕ形部に、バネが実装され、上記円盤部とＵ形部との間に、位置制限欠部が形成され、上記制御部材のＵ形部と位置制限欠部とが、ラチェット槽に向かって、摘部が露出するように、スパナ本体の円形孔に実装され、
上記ラチェット部材が、その一端に円弧状歯部が形成され、他端に、位置制限部が形成され、上記位置制限部に、円柱が形成され、上記円弧状歯部が、作動口に向かって、上記位置制限部が、制御部材の位置制限欠部に収納され、円柱が制御部材のバネに当接するように、スパナ本体のラチェット槽に実装され、
上記回転部材が、スパナ本体の作動口に実装され、回転部材の外縁に、歯状リングが形成され、上記歯状リングが、ラチェット部材の円弧状歯部に噛合する
ことを特徴とするラチェットスパナが提供される。
【００１２】
請求項２の考案によれば、上上記制御部材において、Ｕ形部の開口に、同一方向になる定位孔が形成され、上記の定位孔に、バネの一端が収納されることにより、バネが定位されることを特徴とする請求項１に記載のラチェットスパナが提供される。
【００１３】
請求項３の考案によれば、上記Ｕ形部において、バネの両側の外縁に、ともに、円弧面が形成され、上記ラチェット部材において、円柱の近くに円弧空間が形成され、円弧空間と円弧面とにより、ラチェット部材とＵ形部とが、互いに退避することを特徴とする請求項１に記載のラチェットスパナが提供される。
【考案の効果】
【００１４】
本考案は、上記の通りの構成からなるものであり、詳しく後述するように、簡素な構造であり、強度及び耐用性能にも優れ、操作上の安定性にも優れたものである。
【考案を実施するための最良の形態】
【００１５】
以下、図面を参照しながら、本考案の特徴や技術内容について、詳しく説明するが、それらの図面等は、参考や説明のためであり、本考案は、それらによって限定されるものではない。
【００１６】
図１乃至図３に示すように、本考案に係る方向転換可能なスパナは、スパナ本体１０と制御部材２０、ラチェット部材３０及び回転部材４０が備えられたものである。スパナ本体１０は、一端に、ラチェット部１１が形成され、ラチェット部１１に、作動口１２と円形孔１３とが形成され、上記作動口１２と円形孔１３との間に、連通する円弧ラチェット槽１４が形成される。また、上記ラチェット部１１は、作動口１２の内縁に、固定溝１２１が形成される。制御部材２０は、円盤部２１の一端において、摘部２２が形成され、上記の円盤部２１の他端に、ブロック２３が形成される。上記ブロック２３の頂端に、Ｕ形部２４が形成され、Ｕ形部２４に、バネ２５が実装され、上記円盤部２１とＵ形部２４との間に、位置制限欠部２６が形成される。また、上記制御部材２０が、スパナ本体１０の円形孔１３に実装されて、摘部２２が、露出し、制御部材２０のＵ形部２４と位置制限欠部２６とが、ラチェット槽１４に向かって、上記制御部材２０において、Ｕ形部２４の開口に、同じ方向に定位孔２４１が形成され、バネ２５の一端が定位孔２４１に収納されることにより、バネ２５の定位効果が得られる。
【００１７】
ラチェット部材３０は、一端に、円弧状歯部３１が形成され、他端に、位置制限部３２が形成される。また、上記位置制限部３２から円柱３３が突出し、上記ラチェット部材３０の位置制限部３２と円柱３３とが、一体成型によってもよいし、挿設によって形成されて固定されてもよい。上記ラチェット部材３０は、スパナ本体１０のラチェット槽１４内に実装され、上記ラチェット部材３０の円弧状歯部３１が、作動口１２に向かって、上記位置制限部３２が、制御部材２０の位置制限欠部２６に収納され、円柱３３で、制御部材２０のバネ２５に当接するように、また、上記Ｕ形部２４において、バネ２５の両側の外縁に、ともに、円弧面２４２が形成され、上記ラチェット部材３０において、円柱３３の近くに、円弧空間３２１が形成され、円弧空間３２１で、円弧面２４２に合わせて、ラチェット部材３０とＵ形部２４とが、互いに退避できる。回転部材４０は、スパナ本体１０の作動口１２に組み立てられ、上記回転部材４０の外縁に、リング状溝４１が形成され、リング状溝４１に、Ｃ係合部材４２が係合され、Ｃ係合部材４２により、作動口１２の固定溝１２１に弾性結合され、これにより、スパナ本体１０と回転部材４０とが、結合されて固定され、また、上記回転部材４０の外縁に、歯状リング４３が形成され、上記歯状リング４３が、ラチェット部材３０の円弧状歯部３１に噛合する。
【００１８】
本考案によれば、図２乃至図５のように、上記制御部材２０において、Ｕ形部２４の定位孔２４１に、ややＵ形部２４から突出するように、バネ２５が実装され、制御部材２０のブロック２３端部が、スパナ本体１０の円形孔１３内に収納されて、制御部材２０の摘部２２が、スパナ本体１０の外部に設置される。上記Ｕ形部２４とバネ２５及び位置制限欠部２６が、ともに、ラチェット槽１４に向かうように、ラチェット部材３０を、スパナ本体１０の作動口１２から、ラチェット槽１４内に設置され、ラチェット部材３０の位置制限部３２が、制御部材２０の位置制限欠部２６に設置され、円柱３３で、バネ２５の一端に当接する。これにより、バネ２５が、円柱３３と定位孔２４１との間に設置される。そして、バネ２５の両側が、同時に、Ｕ形部２４によって位置制限され、この時、上記制御部材２０が、ラチェット部材３０の位置制限部３２によって当接され、制御部材２０が、円形孔１３から取り出されることができなくなり、最後に、回転部材４０を、スパナ本体１０の作動口１２に組み立て、Ｃ係合部材４２により、回転部材４０のリング状溝４１と作動口１２の固定溝１２１との間に弾性的に組み立てられる。そのため、スパナ本体１０と回転部材４０とが、結合され、また、回転部材４０の歯状リング４３が、上記ラチェット部材３０の円弧状歯部３１に噛合して、スパナ本体１０とラチェット部材３０とが、組み立てられる。
【００１９】
本考案によれば、図２と図３、図５及び図６のように、上記制御部材２０は、Ｕ形部２４に装填してあるバネ２５で、斜めにラチェット部材３０の円柱３３に当接し、ラチェット部材３０が、ラチェット槽１４の一側に位置し、また、ラチェット部材３０の円弧状歯部３１が、回転部材４０の歯状リング４３に噛合する。この状態で、上記バネ２５の両端が、それぞれ、定位孔２４１と円柱３３によって固定される。また、上記バネ２５の両側が、完全に閉鎖されるように、Ｕ形部２４が設けられるため、制御部材２０で切り替える時、上記バネ２５が、側方向の力による変形や弾みだされることなく、より安定的な操作効果が得られる。また、制御部材２０が、摘部２２によって、時計回りに切り替えられて当接する時、時計回りにスパナ本体１０を回転すると、回転部材４０が、反作用力を発生し、上記回転部材４０の歯状リング４３が、逆時計回りに、ラチェット部材３０の円弧状歯部３１を駆動し、ラチェット部材３０が、ラチェット槽１４の一側に当接し、これにより、ナットやボルトを締めることができる。
【００２０】
更に、逆時計回りにスパナ本体１０を回転させる場合、上記回転部材４０が、反作用力を発生し、回転部材４０の歯状リング４３が、時計周りにラチェット部材３０の円弧状歯部３１を駆動し、バネ２５の弾性と、ラチェット槽１４のもう一側が中空になることとにより、ラチェット部材３０が、斜めに制御部材２０端部へ向かって変位して、ラチェット部材３０の円柱３３を、Ｕ形部２４内へ変位させる。その結果、回転部材４０とラチェット部材３０とが、分離する。また、上記ラチェット部材３０が、バネ２５によって押し出されて、往復に振動させるため、スパナ本体１０のアイドルの操作効果が得られる。即ち、一方向に、ナットやボルトを締める効果が得られる。
【００２１】
逆に、制御部材２０の摘部２２が、逆時針周りに切り替えられて当接する時、図７と図８のように、逆時針周りにスパナ本体１０を回転させると、回転部材４０が、反作用力を発生し、上記回転部材４０の歯状リング４３が、時針周りにラチェット部材３０の円弧状歯部３１を駆動し、同じように、ラチェット部材３０が、ラチェット槽１４の一側に当接でき、これにより、ナットやボルトを緩める効果が実現される。また、上記の時針周りにスパナ本体１０を回転する時、回転部材４０の歯状リング４３が、逆時針周りにラチェット部材３０の円弧状歯部３１を駆動し、バネ２５の弾性と、ラチェット槽１４のもう一側が中空になることとにより、ラチェット部材３０が、斜めに制御部材２０端へ向かって変位し、一方向に、ナットやボルトを回転させる効果が実現される。
上記実施形態の構造によれば、次のような利点が得られる。
【００２２】
１．上記ラチェット部材３０は、位置制限部３２に、円柱３３が固定され、円柱３３で、バネ２５の一端に当接し、これにより、ラチェット部材３０と制御部材２０とが、連動し、また、上記バネ２５の両側に、更に、完全に、Ｕ形部２４によって囲まれ、制御部材２０で切り替えを行う時、上記バネ２５が、側方向からの力により、変形することや弾みだされることを防止でき、そのため、安定的に操作することや構造強度の強化が実現され、耐用性能を向上させることができる。
【００２３】
２．上記制御部材２０は、定位孔４１に、バネ２５が直接に挿設され、また、Ｕ形部２４が、バネ２５の両側を囲むため、直接に、制御部材２０のブロック２３端部を、スパナ本体１０の円形孔１３に設置でき、また、作動口１２端から、ラチェット部材３０をラチェット槽１４内に設置し、ラチェット部材３０の位置制限部３２が、制御部材２０の位置制限欠部２６に挿設され、円柱３３が、バネ２５の他端に当接するため、簡単に、スパナ本体１０の組み立てステップを終了でき、構造の簡素化や快速的に組み立ての効果が得られる。
【００２４】
３．上記Ｕ形部２４は、バネ２５の両側の外縁に、ともに、円弧面２４２が形成され、上記ラチェット部材３０は、円柱３３の近くに、円弧空間３２１が形成され、円弧空間３２１で、円弧面２４２に合わせて、ラチェット部材３０とＵ形部２４とが、互いに退避できる効果が得られる。即ち、ラチェット部材３０と制御部材２０との距離が短縮され、Ｕ形部２４が、円柱３３の両側に当接でき、ラチェット部材３０の定位効果が向上する。
【００２５】
以上は、本考案の好適な実施形態であり、本考案は、それらによって限定されるものではなく、本考案に係わる実用新案請求の範囲や明細書の内容に基づいて行った等価の変更や修正は、全てが、本考案の範囲内に含まれる。
【図面の簡単な説明】
【００２６】
【図１】本考案の一実施形態によるラチェットスパナの斜視図である。
【図２】本考案の一実施形態によるラチェットスパナの分解斜視図である。
【図３】本考案の一実施形態によるラチェットスパナのラチェット部材と制御部材の連結図である。
【図４】本考案の一実施形態によるラチェットスパナの断面図である。
【図５】本考案の一実施形態によるラチェットスパナの制御部材が時針周りに当接する状態の作動図（一）である。
【図６】本考案の一実施形態によるラチェットスパナの制御部材が時針周りに当接する状態の作動図（二）である。
【図７】本考案の一実施形態によるラチェットスパナの一実施形態によるラチェットスパナの制御部材が逆時針周りに当接する状態の作動図（一）である。
【図８】本考案の一実施形態によるラチェットスパナの制御部材が逆時針周りに当接する状態の作動図（二）である。
【図９】従来のラチェットスパナの断面図
【符号の説明】
【００２７】
本考案
１０  スパナ本体
１１  ラチェット部
１２  作動口
１２１  固定槽
１３  円形孔
１４  ラチェット槽
２０  制御部材
２１  円盤部
２２  摘部
２３  ブロック
２４  Ｕ形部
２４１  定位孔
２４２  円弧面
２５  バネ
２６  位置制限欠部
３０  ラチェット部材
３１  円弧状歯部
３２  位置制限部
３２１  円弧空間
３３  円柱
４０  回転部材
４１  リング状溝
４２  Ｃ係合部材
４３  歯状リング
従来
５０  スパナ
５１  第一槽室
５２  第二槽室
６０  回転部材
６１  歯状リング
７０  ラチェット部材
７１  円弧面
８０  制御ブロック
８１  挿入孔
８２  バネ
８３  当接ヘッド
【図１】
0003183496.tif 000003
【図２】
0003183496.tif 000004
【図３】
0003183496.tif 000005
【図４】
0003183496.tif 000006
【図５】
0003183496.tif 000007
【図６】
0003183496.tif 000008
【図７】
0003183496.tif 000009
【図８】
0003183496.tif 000010
【図９】
0003183496.tif 000011